(57)【要約】【課題】天井に取り付ける際の作業者の作業負担を軽減した器具を提供する。【解決手段】器具１０１は、下方に突出する第１，第２の吊ボルトを有し、上記第１，第２の吊ボルトにそれぞれ第１，第２の締結具が取り付けられた状態の天井に対して設置されるための器具であって、上記天井に略平行な主板１を備える。主板１は、上記第１の吊ボルトの外径より大きく上記第１の締結具の外径より小さな幅を以って第１の側８１の端に連通するスリット３を有する。さらに主板１は、第２の側８２に、第２の締結具を通過させることができる程度に大きな径を有する第１領域４ａと、上記第１の側と上記第２の側とを結ぶ方向８５に対して垂直な方向８６に延在し、上記第２の締結具の外径より小さく上記第２の吊ボルトの外径よりは大きな幅を有する線状の第２領域４ｂとが一体化した形状の貫通孔４を有する。【選択図】図２
2011044301.tif 000002
【特許請求の範囲】
【請求項１】
下方に突出する第１，第２の吊ボルトを有し、前記第１，第２の吊ボルトにそれぞれ第１，第２の締結具が取り付けられた状態の天井に対して設置されるための器具であって、
前記天井に略平行な主板を備え、
前記主板は、前記第１の吊ボルトを収容するために、前記第１の吊ボルトの外径より大きく前記第１の締結具の外径より小さな幅を以って第１の側の端に連通するスリットを有し、
前記主板は、前記第１の側と反対の側である第２の側に、前記第２の吊ボルトを取り囲むように前記第２の吊ボルトに取り付けられた第２の締結具を通過させることができる程度に大きな径を有する第１領域と、前記第１の側と前記第２の側とを結ぶ方向に対して垂直な方向に延在し、前記第２の締結具の外径より小さく前記第２の吊ボルトの外径よりは大きな幅を有する線状の第２領域とが一体化した形状の貫通孔を有する、器具。
【請求項２】
前記主板は、下面に、前記第２領域に対して前記第２領域の幅方向に隣接する位置に下方に向かって突出するストッパ突起を有し、
前記ストッパ突起は、前記第２領域に前記第２の吊ボルトが収容されたときに前記第２の吊ボルトが前記第１領域に戻ることを阻止することができるような位置に設けられている、請求項１に記載の器具。
【請求項３】
前記ストッパ突起は、前記第２の領域を前記第２の領域の幅方向に挟み込むように少なくとも２つ配置されている、請求項２に記載の器具。
【請求項４】
前記ストッパ突起は、前記第１の領域寄りの端に斜め下方を向く斜面を有する、請求項２または３に記載の器具。
【請求項５】
前記器具は前記主板よりも下側に光源を備える、請求項１から４のいずれかに記載の器具。
【請求項６】
請求項１から５のいずれかに記載の器具を前記天井に設置する方法であって、
前記器具を、持ち上げる工程と、
前記第１の締結具が前記主板よりも下方に位置する状態で前記第１の吊ボルトが前記スリットに側方から進入するように前記器具を変位させる工程と、
前記第２の吊ボルトが前記貫通孔の前記第１領域に挿入されて前記第２の締結具が前記主板よりも下側になるように前記器具を変位させる工程と、
前記第１，第２の締結具の双方が前記主板より下方に位置する状態を維持しつつ、前記第２の吊ボルトが前記第２領域を貫通する状態に変化するように、前記第１の吊ボルトを中心として前記器具を回転させる工程と、
前記第１，第２の締結具を前記第１，第２の吊ボルトに沿って上方に向かって締め付ける工程とを含む、器具の天井への取付け方法。
【請求項７】
請求項２から５のいずれかに記載の器具を前記天井に設置する方法であって、
前記器具を、持ち上げる工程と、
前記第１の締結具が前記主板よりも下方に位置する状態で前記第１の吊ボルトが前記スリットに側方から進入するように前記器具を変位させる工程と、
前記第２の吊ボルトが前記貫通孔の前記第１領域に挿入されて前記第２の締結具が前記主板よりも下側になるように前記器具を変位させる工程と、
前記第１，第２の締結具の双方が前記主板より下方に位置する状態を維持しつつ、前記第２の吊ボルトが前記第２領域を貫通する状態に変化するように、前記第１の吊ボルトを中心として前記器具を回転させる工程と、
前記第１，第２の締結具を前記第１，第２の吊ボルトに沿って上方に向かって締め付ける工程とを含み、
前記器具を回転させる工程においては、前記第２の締結具が前記ストッパ突起を越えて前記第２領域のうち前記ストッパ突起よりも前記第１領域から遠い位置へと移動するように前記器具を回転させる、請求項６に記載の器具の天井への取付け方法。
【発明の詳細な説明】
【技術分野】
【０００１】
本発明は、器具および器具の天井への取付け方法に関するものである。
【背景技術】
【０００２】
照明器具などのように、天井に設置して使用する器具がある。天井から下方に向かって延在する吊ボルトが用意されている状態で、この吊ボルトを用いて前述の器具を取り付けなければならない状況がありうる。その場合、器具の筐体の上面に設けられた何らかの貫通孔に吊ボルトを挿入し、筐体の上面を天井との間で挟み込むようにナットで締め付けることとなるが、そのような器具の設置作業は器具自体の重量を支えながら行なわなければならないので作業者にとって負担が大きい。器具の重量が大きい場合はなおさらである。
【０００３】
この負担を軽減するための技術が、実願平２−１００２６１号（実開平４−５９０１４号）のマイクロフィルム（特許文献１）、実願昭６３−９８２４１号（実開平２−２０２１７号）のマイクロフィルム（特許文献２）に開示されている。
【先行技術文献】
【特許文献】
【０００４】
【特許文献１】実願平２−１００２６１号（実開平４−５９０１４号）のマイクロフィルム
【特許文献２】実願昭６３−９８２４１号（実開平２−２０２１７号）のマイクロフィルム
【発明の概要】
【発明が解決しようとする課題】
【０００５】
特許文献１に記載された技術を採用した場合であっても、器具を天井に押し当てた状態で、ナットを締め付ける前に、補強板の折曲げ片を上に向かって押し上げる作業が必要であり、作業者の負担は依然として大きい。
【０００６】
特許文献２に記載された技術を採用した場合であっても、器具を天井に押し当てた状態で、ナットを締め付ける前に、仮止めプレートを回転させる手間が必要であり、作業者の負担は依然として大きい。また、仮止めプレートという別部品を取り付けた構造とする場合、その分だけ部品点数が多くなるという欠点もある。
【０００７】
上述のような折曲げ片を押し上げる作業や、仮止めプレートを回転させる作業自体は、一見単純な操作であって作業者の負担にはさほどならないようにも思えるが、実際には、作業者は相当の重量の器具を両手で支えて高所作業をしているので、器具を支えることで既に両手は塞がっている。したがって、たとえ単純な操作であっても、別途もう１本の手を要するような作業を求めることは作業者にとって大きな負担となる。作業者が無理に片手を空けようとすれば重量物たる器具をもう一方の手のみで支えなければならなくなるからである。無理に片手のみで器具を支えた場合、最悪の場合、バランスを崩して器具を落下させるおそれもある。
【０００８】
そこで、本発明は、天井に取り付ける際の作業者の作業負担を軽減した器具、および、作業負担が軽減された器具の天井への取付け方法を提供することを目的とする。
【課題を解決するための手段】
【０００９】
上記目的を達成するため、本発明に基づく器具は、下方に突出する第１，第２の吊ボルトを有し、上記第１，第２の吊ボルトにそれぞれ第１，第２の締結具が取り付けられた状態の天井に対して設置されるための器具であって、上記天井に略平行な主板を備え、上記主板は、上記第１の吊ボルトを収容するために、上記第１の吊ボルトの外径より大きく上記第１の締結具の外径より小さな幅を以って第１の側の端に連通するスリットを有し、上記主板は、上記第１の側と反対の側である第２の側に、上記第２の吊ボルトを取り囲むように上記第２の吊ボルトに取り付けられた第２の締結具を通過させることができる程度に大きな径を有する第１領域と、上記第１の側と上記第２の側とを結ぶ方向に対して垂直な方向に延在し、上記第２の締結具の外径より小さく上記第２の吊ボルトの外径よりは大きな幅を有する線状の第２領域とが一体化した形状の貫通孔を有する。
【発明の効果】
【００１０】
本発明によれば、器具の天井への設置作業時には、スリットと貫通孔とを利用して容易に仮留めすることができる。この器具においては、締結具の締付作業は、器具を仮留めした後に行なうことができるので、器具を天井に取り付ける際の作業者の作業負担を軽減することができる。
【図面の簡単な説明】
【００１１】
【図１】器具を設置する前の天井の側面図である。
【図２】本発明に基づく実施の形態１における器具の平面図である。
【図３】図２における貫通孔の近傍の拡大平面図である。
【図４】本発明に基づく実施の形態１における器具の第１の側の端部近傍の斜視図である。
【図５】本発明に基づく実施の形態１における器具の第２の側の端部近傍の斜視図である。
【図６】本発明に基づく実施の形態１における器具を仮留めした状態の側面図である。
【図７】図６における第１の締結具の近傍の拡大断面図である。
【図８】図６における第２の締結具の近傍の拡大斜視図である。
【図９】図６における第２の締結具の近傍の拡大断面図である。
【図１０】締結具の一例が吊ボルトに取り付けられた状態の側面図である。
【図１１】本発明に基づく実施の形態２における器具の平面図である。
【図１２】図１１における貫通孔の近傍の拡大平面図である。
【図１３】本発明に基づく実施の形態２における器具を仮留めした状態での第２の締結具の近傍の拡大断面図である。
【図１４】ストッパ突起を片側のみに設けた場合の貫通孔の近傍の拡大平面図である。
【図１５】ストッパ突起に斜面を設けた場合の第２の締結具の近傍の拡大断面図である。
【図１６】第２の吊ボルトを第１の領域から第２の領域へと相対的に移動させる際の動きの説明図である。
【図１７】光源を備える器具を仮留めした状態の側面図である。
【図１８】本発明に基づく実施の形態３における取付け方法のフローチャートである。
【図１９】本発明に基づく実施の形態３における取付け方法の中で、第１の吊ボルトがスリットに対して相対的に側方から進入する様子の説明図である。
【図２０】本発明に基づく実施の形態３における取付け方法の中で、第２の吊ボルトが貫通孔の第１領域に相対的に挿入される様子の説明図である。
【図２１】本発明に基づく実施の形態３における取付け方法の中で、器具を回転させる様子の説明図である。
【発明を実施するための形態】
【００１２】
（実施の形態１）
（構成）
図１〜図５を参照して、本発明に基づく実施の形態１における器具について説明する。この器具を設置する前の天井の状態を図１に示す。天井９０から下方に向かって第１，第２の吊ボルト９１，９２が突出して延在している。この天井はたとえばガソリンスタンドの天井であってもよい。天井の内部構造は問わない。第１，第２の吊ボルト９１，９２は丸棒の外面にねじが切られたものである。第１，第２の吊ボルト９１，９２にはそれぞれ第１，第２の締結具９３，９４が取り付けられている。第１，第２の締結具９３，９４はそれぞれナットであってよい。第１，第２の吊ボルト９１，９２の外径はそれぞれｄ１，ｄ２であるものとし、第１，第２の締結具９３，９４の外径はそれぞれＤ１，Ｄ２であるものとする。
【００１３】
本実施の形態における器具１０１を上から見たところを図２に示す。器具１０１はたとえば照明器具であってもよい。図２においては、第１，第２の吊ボルト９１，９２の並ぶ方向に従って第１の側８１と第２の側８２とを観念することができる。第１の側８１と第２の側８２とは互いに逆向きである。
【００１４】
器具１０１は、下方に突出する第１，第２の吊ボルト９１，９２を有する天井９０に対して設置されるための器具である。器具１０１は、天井９０に略平行な主板１を備える。主板１は端部１ａ，１ｂと中間部１ｃとを含む。主板１は、第１の吊ボルト９１を収容するために第１の吊ボルト９１の外径ｄ１より大きく第１の締結具９３の外径Ｄ１より小さな幅を以って第１の側８１の端２に連通するスリット３を有する。このスリット３は部分１ａに設けられている。主板１は、第１の側８１と反対の側である第２の側８２に、貫通孔４を有する。この貫通孔４は部分１ｂに設けられている。図２の貫通孔４の近傍を拡大したところを図３に示す。貫通孔４は、第１領域４ａと第２領域４ｂとが一体化した形状となっている。第１領域４ａは、第２の吊ボルト９２を取り囲むように第２の吊ボルト９２に取り付けられた第２の締結具９４を通過させることができる程度に大きな径Ｄｉを有する。すなわち、Ｄｉ＞Ｄ２である。第２領域４ｂは、第１の側８１と第２の側８２とを結ぶ方向８５に対して垂直な方向８６に延在し、第２の締結具９４の外径Ｄ２より小さく第２の吊ボルト９２の外径ｄ２よりは大きな幅Ｗを有する線状となっている。すなわち、ｄ２＜Ｗ＜Ｄ２である。
【００１５】
なお、貫通孔４のような形状の穴は、一般的に「ダルマ穴」（keyhole-shaped slot）と呼ばれる場合がある。
【００１６】
主板１には電源接続用開口部５が設けられている。器具１０１が照明器具である場合には、光源に電力を供給するためのケーブル（図示せず）は電源接続用開口部５を通すように配置されてもよい。
【００１７】
器具１０１のうち図２における左側部分、右側部分を斜めから見たところをそれぞれ図４、図５に示す。両端部の上部には側面開口部６，７が設けられている。器具１０１の下部は全周を壁状のフード部８が取り囲んでいる。電源接続用開口部５、側面開口部６，７、フード部８といった構成はあくまで器具の構成の一例であって、本発明の適用対象となる器具はこのような形状に限らない。
【００１８】
（作用・効果）
本実施の形態における器具１０１は、主板１の第１の側８１の端２に連通するスリット３と、第２の側８２に設けられた特殊な形状の貫通孔４とを有するので、器具１０１の天井９０への設置作業時には、スリット３と貫通孔４とを利用して容易に仮留めすることができる。仮留めの方法については後に詳しく述べる。仮留めした後は、図６に示すように、器具１０１は天井９０から第１，第２の吊ボルト９１，９２を介してぶら下がった状態となるので、作業者は器具１０１の重量を自ら支える必要がなくなる。したがって、作業者は両手、あるいは少なくとも片手を空けることができるので、第１，第２の締結具９３，９４を締める作業に専念することができる。このように、本実施の形態における器具１０１では、天井に取り付ける際の作業者の作業負担を大いに軽減することができる。
【００１９】
なお、図６における第１の締結具９３の近傍の拡大断面図を図７に示す。第１の締結具９３は、スリット３の下側に位置し、第１の締結具９３の上面の一部が主板１の下面に当接している。図６における第２の締結具９４の近傍の拡大斜視図を図８に示し、拡大断面図を図９に示す。第２の締結具９４は貫通孔４の第２領域４ｂの下側に位置し、第２の締結具９４の上面の一部が主板１の下面に当接している。このように主板１が第１，第２の締結具９３，９４に引っ掛かることで器具１０１の重量は支えられている。
【００２０】
なお、本実施の形態では、説明の便宜上、第１，第２の締結具９３，９４はそれぞれ単独のナットであるものとして描いたが、単独のナットではなく、図１０に示すように１以上のナットと１以上のワッシャとの組合せであってもよい。図１０の例は、締結具９が対応する吊ボルトに取り付けられた状態を示す。この例では、締結具９は、下から順にナット９５、スプリングワッシャ９６、平ワッシャ９７を組み合わせたものである。第１，第２の締結具９３，９４は図１０に示した締結具９のような構成であってもよい。
【００２１】
なお、本実施の形態では、主板１は端部１ａ，１ｂと中間部１ｃとを含む大きな一体物の部材であるものとしたが、端部１ａ，１ｂと中間部１ｃとの間では段差があってもよい。あるいは、主板１が中間部１ｃを含まず端部１ａ，１ｂのみからなる構造であって２つの部分に分かれていてもよい。その場合、端部１ａ，１ｂの２つの部分を合わせた概念が主板１である。
【００２２】
（実施の形態２）
（構成）
図１１〜図１３を参照して、本発明に基づく実施の形態２における器具について説明する。
【００２３】
本実施の形態における器具の平面図を図１１に示し、貫通孔近傍の位置関係を図１２に示す。図１１に示すように、本実施の形態における器具１０２は、基本的な構成は実施の形態１で説明した器具１０１と同様であるが、少なくとも以下の点で異なる。本実施の形態では、主板１は、下面に、第２領域４ｂに対して第２領域４ｂの幅方向に隣接する位置に下方に向かって突出するストッパ突起１０を有する。ストッパ突起１０は、第２領域４ｂに第２の吊ボルト９２が収容されたときに第２の吊ボルト９２が第１領域４ａに戻ることを阻止することができるような位置に設けられている。
【００２４】
器具１０２を仮留めした状態での第２の締結具９４の近傍の拡大断面図を図１３に示す。
【００２５】
（作用・効果）
実施の形態１で説明した器具においては、仮留めした後に、器具自体に何らかの衝撃や外力が加わったことによって第２の吊ボルト９２が第１領域４ａに戻ってしまった場合、第２の締結具９４は第１領域４ａをすり抜けることができるので、第２の吊ボルト９２による器具に対する支持が不所望に解除されてしまうおそれがある。
【００２６】
これに対して本実施の形態では、第２領域４ｂに第２の吊ボルト９２が収容されたときに第２の吊ボルト９２が第１領域４ａに戻ることを阻止することができるような位置にストッパ突起１０が設けられているので、仮留めした後に、何らかの衝撃や外力が加わって第２の吊ボルト９２が第１領域４ａに向かって移動しようとした場合にも、ストッパ突起１０が第２の締結具９４に当たることによって第２の吊ボルト９２の移動を阻止することができる。したがって、本実施の形態では、不所望に支持が解除されて器具が不安定な状態になったり落下したりすることを防止することができる。
【００２７】
なお、ストッパ突起１０は、図１４に示すように第２領域４ｂの幅方向に隣接する片側のみに設けることとしてもよい。しかし、ストッパ突起１０は、図１２に示したように、第２の領域４ｂを第２の領域４ｂの幅方向に挟み込むように少なくとも２つ配置されていることが好ましい。このように配置されていた方が第２の締結具９４の動きをより確実に抑えることができるからである。
【００２８】
なお、ストッパ突起は、図１５に示すストッパ突起１０ｋのように、第１の領域４ａ寄りの端に斜め下方を向く斜面１０ｋａを有することが好ましい。このようになっていれば、仮留めを行なうために第２の吊ボルト９２を第１の領域４ａから第２の領域４ｂへと相対的に移動させる際に、図１６に矢印８８で示すように第２の締結具９４がストッパ突起１０ｋを円滑に乗り越えることができ、作業者は容易に仮留め作業を行なうことができる。
【００２９】
なお、上記各実施の形態で説明した器具は、主板１よりも下側に光源を備えるものであることが好ましい。たとえば、図１７に示す器具１０３は、主面１の下面に光源１２を備える。このようになっていれば、天井に設置した後、下方の空間を照明することができるからである。図１７で示した光源１２はあくまで一例であって、光源の形態はこのようなものに限らない。光源が主面１の下面に直接設置されている構成に限らない。光源は、何らかの支持機構によって器具１０３の一部として支持されているものであればよい。
【００３０】
なお、図６、図１７で示したのは、器具が天井に対して仮留めされた状態である。この仮留めの状態を以って器具の設置完了状態としてもよい。あるいは、この仮留めの高さから第１，第２の締結具を上方に向かってある程度締め上げた状態を以って器具の設置完了状態としてもよい。第１，第２の締結具を上方に向かって締め上げた末に主板１が天井９０の下面に当接した状態を以って器具の設置完了状態としてもよい。
【００３１】
（実施の形態３）
（器具の天井への取付け方法）
図１８〜図２１を参照して、本発明に基づく実施の形態３における「器具の天井への取付け方法」について説明する。
【００３２】
本実施の形態における「器具の天井への取付け方法」は、これまでに説明したいずれかの構成の「器具」を前記「天井」に設置する方法である。たとえば「器具」が器具１０１であるものとして説明を続ける。この方法は、器具１０１を、持ち上げる工程Ｓ１と、第１の締結具９３が主板１よりも下方に位置する状態で第１の吊ボルト９１がスリット３に側方から進入するように器具１０１を変位させる工程Ｓ２と、第２の吊ボルト９２が貫通孔４の第１領域４ａに挿入されて第２の締結具４ｂが主板１よりも下側になるように器具１０１を変位させる工程Ｓ３と、第１，第２の締結具９３，９４の双方が主板１より下方に位置する状態を維持しつつ、第２の吊ボルト９２が第２領域４ｂを貫通する状態に変化するように、第１の吊ボルト９１を中心として器具１０１を回転させる工程Ｓ４と、第１，第２の締結具９３，９４を第１，第２の吊ボルト９１，９２に沿って上方に向かって締め付ける工程Ｓ５とを含む。この方法のフローチャートを図１８に示す。
【００３３】
工程Ｓ１では、作業者が器具１０１を持ち上げる。このとき作業者は器具１０１を持つために両手を同時に用いてもよい。
【００３４】
工程Ｓ２では、図１９に示すように第１の吊ボルト９１がスリット３に対して相対的に側方から進入する。第１の吊ボルト９１がスリット３の最奥部に衝突するまで進入させることが好ましいが、必ずしも最奥部に衝突させなくてもよい。
【００３５】
工程Ｓ３では、図２０に示すように第２の吊ボルト９２が第１領域４ａに相対的に挿入される。第１領域４ａの径を大きくすればするほど、作業者にとって工程Ｓ３は容易となる。
【００３６】
工程Ｓ４では、図２１に示すように、器具１０１を回転させる。第２の吊ボルト９２が第２領域４ｂの第１領域４ａから遠い側の端に衝突するまで回転させることが好ましいが、必ずしもそのように衝突させなくてもよい。工程Ｓ４によって器具１０１の仮留めが完了する。
【００３７】
さらに、仮留め状態から正式に設置した状態にするために、工程Ｓ５が行なわれる。工程Ｓ５では、作業者は手または工具を、器具１０１の側面開口部６，７またはフード部８下端の開口部から差し入れることによって、第１，第２の締結具９３，９４を上方に締め付けることができる。この締め付けが終了することによって、器具１０１の天井９０への設置が完了する。
【００３８】
（作用・効果）
本実施の形態における「器具の天井への取付け方法」によれば、器具に設けられたスリットおよび特殊な貫通孔を利用して一旦仮留めすることができるので、作業者は両手を空けることができる。したがって、作業者は、吊ボルトの締結具を締め付ける作業を両手で自由に行なうことができる。また、仮留めした後は器具の重量は吊ボルトによって支持されており、作業者が自ら器具の重量を支える必要がないので、作業者が吊ボルトの締結具の締め付け作業中に器具を落下させてしまう危険性は小さくすることができる。このようにして、作業者の作業負担が大いに軽減される。
【００３９】
（変形例）
なお、実施の形態２で説明したように、ストッパ突起を備える器具を用いて「器具の天井への取付け方法」を行なうことはさらに好ましい。その場合について、本実施の形態における「器具の天井への取付け方法」の好ましい変形例として説明すると以下のとおりとなる。なお、器具は一例として器具１０２としているがこれに限るものではない。
【００４０】
本実施の形態における「器具の天井への取付け方法」は、これまでに説明したストッパ突起付きのいずれかの構成の「器具」を「天井」に設置する方法であって、器具１０２を、持ち上げる工程Ｓ１と、第１の締結具９３が主板１よりも下方に位置する状態で第１の吊ボルト９１がスリット３に側方から進入するように器具１０２を変位させる工程Ｓ２と、第２の吊ボルト９２が貫通孔４の第１領域４ａに挿入されて第２の締結具９４が主板１よりも下側になるように器具１０２を変位させる工程Ｓ３と、第１，第２の締結具９３，９４の双方が主板１より下方に位置する状態を維持しつつ、第２の吊ボルト９２が第２領域４ｂを貫通する状態に変化するように、第１の吊ボルト９１を中心として器具１０２を回転させる工程Ｓ４と、第１，第２の締結具９３，９４を第１，第２の吊ボルト９１，９２に沿って上方に向かって締め付ける工程Ｓ５とを含む。このうち器具１０２を回転させる工程Ｓ４においては、第２の締結具９４がストッパ突起１０を越えて第２領域４ｂのうちストッパ突起１０よりも第１領域４ａから遠い位置へと移動するように器具１０２を回転させるものである。この変形例の場合もフローチャートは図１８に示したものと同じであるが、工程Ｓ４において器具の回転がストッパ突起を乗り越えるように行なわれるという点で図１８に示したものと異なる。
【００４１】
この変形例によれば、器具に設けられたスリットおよび特殊な貫通孔を利用してストッパ突起を乗り越える形で仮留めの状態にすることができる。このようにして仮留めとした場合、実施の形態２で説明したように、仮留めした後に、何らかの衝撃や外力が加わって第２の吊ボルト９２が第１領域４ａに向かって移動しようとした場合にも、ストッパ突起１０が第２の締結具９４に当たることによって第２の吊ボルト９２の移動を阻止することができる。したがって、本実施の形態では、不所望に支持が解除されて器具が不安定な状態になったり落下したりすることを防止することができるので、作業者の作業負担は軽減され、かつ、作業者は安心して締結具の締め付け作業を行なうことができる。
【００４２】
なお、上記各実施の形態では、第１，第２の吊ボルト９１，９２は同じ外径であるものとして説明したが、必ずしも同じ外径でなくてもよい。第１，第２の吊ボルトの外径が異なる場合であっても本発明は適用可能である。
【００４３】
上記各実施の形態では、第１，第２の締結具９３，９４は同じ外径であるものとして説明したが、必ずしも同じ外径でなくてもよい。第１，第２の締結具９３，９４の外径が異なる場合であっても本発明は適用可能である。
【００４４】
上記各実施の形態では、吊ボルトが第１，第２の吊ボルト９１，９２の合計２本のみであるものとして説明したが、吊ボルトは必ずしも２本のみに限らない。吊ボルトが３本以上ある場合であっても本発明は適用可能である。たとえば吊ボルトが３本の場合、主板の第１の側に１つのスリットを設け、第２の側に２つの貫通孔を設けることが考えられる。その場合、第２の側の２つの貫通孔の各第２領域は同じ側に延在するように設ければよい。器具設置の際には、第１の側のスリットにまず１本の吊ボルトを挿入し、第２の側の貫通孔の各第１領域に他の２本の吊ボルトを挿入する。第１の側のスリットに通された吊ボルトを中心に器具を回転させることによって、第２の側の２本の吊ボルトをそれぞれ同時に貫通孔の各第２領域に移行させる。このようにすれば、吊ボルトが３本の場合であっても器具の設置は可能であり、本発明の作用効果を奏することができる。
【００４５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００４６】
１  主板、１ａ，１ｂ  端部、１ｃ  中間部、２  （第１の側の）端、３  スリット、４  貫通孔、４ａ  第１領域、４ｂ  第２領域、５  電源接続用開口部、６，７  側面開口部、８  フード部、９  締結具、１０，１０ｋ  ストッパ突起、１０ｋａ  斜面、１２  光源、８１  第１の側、８２  第２の側、８５，８６  方向、８８  矢印、９０  天井、９１  第１の吊ボルト、９２  第２の吊ボルト、９３  第１の締結具、９４  第２の締結具、９５  ナット、９６  スプリングワッシャ、９７  平ワッシャ、１０１，１０２，１０３  器具。
【図１】
2011044301.tif 000003
【図２】
2011044301.tif 000004
【図３】
2011044301.tif 000005
【図４】
2011044301.tif 000006
【図５】
2011044301.tif 000007
【図６】
2011044301.tif 000008
【図７】
2011044301.tif 000009
【図８】
2011044301.tif 000010
【図９】
2011044301.tif 000011
【図１０】
2011044301.tif 000012
【図１１】
2011044301.tif 000013
【図１２】
2011044301.tif 000014
【図１３】
2011044301.tif 000015
【図１４】
2011044301.tif 000016
【図１５】
2011044301.tif 000017
【図１６】
2011044301.tif 000018
【図１７】
2011044301.tif 000019
【図１８】
2011044301.tif 000020
【図１９】
2011044301.tif 000021
【図２０】
2011044301.tif 000022
【図２１】
2011044301.tif 000023